(57)【要約】【課題】前倒ししたシートバックの背面部とその後部側のフロア面との間に形成される隙間を覆う板部材を、これらの間にフラットな状態で設けられるようにする。【解決手段】シートバック２の前倒しにより、その上向きとなる背面２Ａと後部側のフロア面Ｆａとの間に凹状の隙間Ａが形成される車両用シート１である。シートバック２の背部には、後ろ側への倒し込みにより上記隙間Ａを覆った展開状態となり、前側への起こし上げによりシートバック２の背面２Ａに重ねられた収納状態となる板部材５が、フロアＦ上に起倒回転可能にヒンジ連結された状態として設けられている。上記板部材５のフロアＦに対するヒンジ連結点（ヒンジ軸５Ａ）が、シートバック２の前倒れの回転中心（連結ピン２Ｄ）よりも後方側で、かつ、前倒しされたシートバック２の背面２Ａよりも低い位置に設定されている。【選択図】図２
2013116661.tif 000002
【特許請求の範囲】
【請求項１】
シートバックの前倒しにより、その上向きとなる背面と後部側のフロア面との間に凹状の隙間が形成される車両用シートであって、
前記シートバックの背部には、後ろ側への倒し込みにより前記隙間を覆った展開状態となり、前側への起こし上げにより前記シートバックの背面に重ねられた収納状態となる板部材が、フロア上に起倒回転可能にヒンジ連結された状態として設けられ、
前記板部材のフロアに対するヒンジ連結点が、前記シートバックの前倒れの回転中心よりも後方側で、かつ、前倒しされた前記シートバックの背面よりも低い位置に設定されていることを特徴とする車両用シート。
【請求項２】
請求項１に記載の車両用シートであって、
前記シートバックは、その外形形状が前記シートバックの前倒れの回転中心よりも下方側に延出した延出部を有する形状とされており、該延出部の背面に、前記シートバックが前倒しされたときの前記ヒンジ連結点との干渉を回避するための凹部が形成されていることを特徴とする車両用シート。
【請求項３】
請求項１又は請求項２に記載の車両用シートであって、
更に、前記シートバックの前倒しに連動してシートクッションが下方側に沈み込むチルトダウン機構を備えることを特徴とする車両用シート。
【発明の詳細な説明】
【技術分野】
【０００１】
本発明は、車両用シートに関する。詳しくは、シートバックの前倒しにより、その上向きとなる背面と後部側のフロア面との間に凹状の隙間が形成される車両用シートに関する。
【背景技術】
【０００２】
従来、車両用シートにおいて、シートバックの背面部にバックボードがヒンジ連結された状態で設けられた構成が知られている（特許文献１）。上記バックボードは、シートバックの前倒し時に後倒しされて使用され、前倒ししたシートバックの背面とその後部側のフロア面との間に架け渡されて、これらの間に形成される隙間を覆ってフラット状の荷室面を形成する構成となっている。
【先行技術文献】
【特許文献】
【０００３】
【特許文献１】特開２００１−８８５９３号公報
【発明の概要】
【発明が解決しようとする課題】
【０００４】
上記特許文献１に記載の従来技術では、シートバックの背面部上に、バックボードの下側の縁部が軸連結された構成となっている。このため、シートバックを前倒ししてバックボードを後倒しした状態では、上記連結軸構造が、シートバックの背面部上に突出した状態として残ってしまい、良好なフラット状態とすることができない。本発明は、上記問題を解決するものとして創案されたものであって、本発明が解決しようとする課題は、前倒ししたシートバックの背面部とその後部側のフロア面との間に形成される隙間を覆う板部材を、これらの間にフラットな状態で設けられるようにすることにある。
【課題を解決するための手段】
【０００５】
上記課題を解決するために、本発明の車両用シートは次の手段をとる。
第１の発明は、シートバックの前倒しにより、その上向きとなる背面と後部側のフロア面との間に凹状の隙間が形成される車両用シートである。シートバックの背部には、後ろ側への倒し込みにより上記隙間を覆った展開状態となり、前側への起こし上げによりシートバックの背面に重ねられた収納状態となる板部材が、フロア上に起倒回転可能にヒンジ連結された状態として設けられている。上記板部材のフロアに対するヒンジ連結点が、シートバックの前倒れの回転中心よりも後方側で、かつ、前倒しされたシートバックの背面よりも低い位置に設定されている。
【０００６】
この第１の発明によれば、シートバックを前に倒し込み、板部材を後ろに倒し込むことにより、シートバックの背面とその後部側のフロア面との間に形成される隙間に板部材を覆いかけた状態として、これら各面を連続したフラットな面に形成することができる。詳しくは、上記板部材は、そのフロアに対するヒンジ連結点が、シートバックの前倒れの回転中心よりも後方側で、かつ、前倒しされたシートバックの背面よりも低い位置に設定されていることから、その後ろ側に倒し込まれた状態時には、上記ヒンジ連結点がシートバックの背面から突出しない状態となる。したがって、板部材のヒンジ連結点の高さ位置や板厚を適宜調節して設定することにより、前倒ししたシートバックの背面（及びフロア面）と板部材とを出っ張りのないフラットな状態に仕上げることができる。
【０００７】
第２の発明は、上述した第１の発明において、シートバックは、その外形形状がシートバックの前倒れの回転中心よりも下方側に延出した延出部を有する形状とされており、この延出部の背面に、シートバックが前倒しされたときのヒンジ連結点との干渉を回避するための凹部が形成されているものである。
【０００８】
この第２の発明によれば、シートバックの延出部の背面に凹部を形成したことにより、シートバックを前倒ししたときに、延出部をヒンジ連結点の下方に潜り込ませることができる。したがって、板部材のヒンジ連結点近傍の部位を、シートバックの構造強度によって下方側から支持することができると共に、シートバックと板部材との間に隙間が形成されないようにすることができる。
【０００９】
第３の発明は、上述した第１又は第２の発明において、更に、シートバックの前倒しに連動してシートクッションが下方側に沈み込むチルトダウン機構を備えるものである。
【００１０】
この第３の発明によれば、チルトダウン機構により、シートバックの前倒しに連動させてシートクッションを下方側に沈み込ませることにより、シートバックをより下方側に倒し込むことができる。したがって、より低い位置で、シートバックの背面と板部材とフロア面とのフラット面を形成することができる。
【図面の簡単な説明】
【００１１】
【図１】実施例１の車両用シートの概略を示した斜視図である。
【図２】シートバックを前に倒して板部材を後に倒した状態を示した斜視図である。
【図３】図３の要部側面図である。
【図４】図４の要部側面図である。
【図５】実施例２の車両用シートの構成を示した側面図である。
【図６】シートバックを前に倒して板部材を後に倒した状態を示した側面図である。
【発明を実施するための形態】
【００１２】
以下に、本発明を実施するための形態について、図面を用いて説明する。
【実施例１】
【００１３】
始めに、実施例１の車両用シート１の構成について、図１〜図４を用いて説明する。本実施例の車両用シート１は、図１に示すように、ワンボックスカーやミニバン等の箱型車両の最後部側の座席として構成されており、着座乗員の背凭れとなるシートバック２と、着座部となるシートクッション３と、を備える。上記車両用シート１は、段差状に形成されたフロアＦ上の段差下側のフロア面Ｆｂ上に配設されており、その後部側位置に、段差上側のフロア面Ｆａが荷室面として位置する構成となっている。
【００１４】
上記車両用シート１は、図２に示すように、上記シートバック２を前倒しして、その背面２Ａを上述した段差上側のフロア面Ｆａと面一状の状態にすることができる構成となっている。また、上記車両用シート１は、上記シートバック２の前倒し時に、上記シートバック２の背面２Ａと上記段差上側のフロア面Ｆａとの間に形成される凹状の隙間Ａに蓋をして隙間Ａを覆うことのできる板部材５が、シートバック２の背部に配設された構成となっている。
【００１５】
上記板部材５は、図１に示すように、シートバック２の横幅と同程度の横幅を有する平板形状とされている。上記板部材５は、その左右両側の下端部が、それぞれ、ヒンジ軸５Ａにより車両用シート１の左右両側の後ろ側側部に立設された各ブラケット６に起倒回動可能にヒンジ連結された状態として設けられている。上記各ブラケット６は、それぞれ、段差下側のフロア面Ｆｂ上に一体的に固定された状態として立設されている。これにより、上記板部材５は、その前側への起こし上げにより、シートバック２の背面２Ａに重ねられたコンパクトな収納状態（図１及び図３参照）とされ、後ろ側への倒し込みにより、上記隙間Ａを覆った展開状態（図２及び図４参照）とされる、収納展開可能な構成とされている。上記板部材５は、その展開状態では、図示は省略されているが、上記隙間Ａの傾斜した後ろ側の側面に乗り上がって係止されるか、または、段差上側のフロア面Ｆａ上に当たって係止されるかして、上側からの荷重に耐えられる状態とされるようになっている。
【００１６】
ここで、上記車両用シート１は、図１〜図２に示すように、上記シートバック２の前倒しに連動してシートクッション３が下方側に沈み込む、いわゆるチルトダウン機構１Ａを備えた構成となっている。具体的には、シートバック２が、上記段差下側のフロア面Ｆｂ上に立設されたブラケット６に起倒回動可能にヒンジ連結されており、シートクッション３が、段差下側のフロア面Ｆｂ上に、前後の各リンク３Ａ，３Ｂにより昇降運動可能に連結されていると共に、その後部が上記シートバック２に吊持されるかたちでＬ字リンク４により連結された構成となっている。上記連結により、車両用シート１は、シートバック２の前倒しに連動して、シートクッション３がＬ字リンク４を介して後方側に引き込まれるかたちで沈み込むように動かされる構成とされている。
【００１７】
すなわち、車両用シート１は、上記チルトダウン機構１Ａによるシートクッション３の沈み込みにより、シートバック２を前に倒し込める許容スペースが下方側に拡張される構成とされており、シートバック２をシートクッション３と干渉させることなく、水平位置まで大きく倒し込める構成とされている。以下、車両用シート１の各部の構成について、詳しく説明する。図１〜図２に示すように、シートバック２は、その左右両側の下端部が、それぞれ、段差下側のフロア面Ｆｂ上に立設された各ブラケット６に対して、連結ピン２Ｄにより回動可能に軸連結された状態とされている。ここで、連結ピン２Ｄが本発明の「シートバックの前倒れの回転中心」に相当する。そして、上記シートバック２は、常時は、その車両外側の側部箇所が、同外側の車体壁部に設けられた図示しないロック機構に係合されてロックされた状態とされており、その背凭れ角度が固定された状態に保持されている。上記図示しないロック機構によるシートバック２の背凭れ角度の固定状態は、図示しない後方側の荷室空間の壁面等の箇所に配設された操作レバーの操作によって解除されるようになっている。この解除操作によって、シートバック２が前方側へ倒し込み可能な状態に切り替えられるようになっている。
【００１８】
ここで、上記シートバック２は、図３に示すように、その外形形状が、上記前倒れの回転中心（連結ピン２Ｄ）よりも下方側に延出した延出部２Ｂを有する形状とされている。上記延出部２Ｂは、図４に示すように、シートバック２を前倒しした際に、前述した板部材５のヒンジ軸５Ａの下方側位置にまわし込まれるようになっている。このように、延出部２Ｂがヒンジ軸５Ａの下方側位置にまわし込まれることにより、延出部２Ｂの構造強度によって、ヒンジ軸５Ａ（板部材５の端部）を下方側から支持することができると共に、シートバック２と板部材５との間に隙間が形成されないようにすることができる。
【００１９】
ここで、図３に示すように、上記延出部２Ｂの背面２Ａには、その下端側の角部を凹状に窪ませる形の凹部２Ｃが形成されている。この凹部２Ｃは、延出部２Ｂの横幅方向の全域に亘って形成されており、図４に示すように、シートバック２が前倒しされたときの延出部２Ｂとヒンジ軸５Ａ（板部材５の前端部）との干渉を回避するものとして機能するようになっている。上記凹部２Ｃは、延出部２Ｂの背面２Ａの下端側の角部を凹状に窪ませる形とされていることにより、図４に示すように、板部材５が後方側に倒し込まれても、板部材５の下面と干渉しない構成となっている。
【００２０】
シートクッション３は、その左右両側の前部と後ろ部とが、それぞれ、リンク３Ａ，３ＢによりフロアＦに対して昇降運動可能にリンク連結されている。詳しくは、各リンク３Ａ，３Ｂは、それらの上端部が、それぞれ連結ピン３Ａ１，３Ｂ１によりシートクッション３の側部に回動可能に軸連結されており、それらの下端部が、それぞれ連結ピン３Ａ２，３Ｂ２により段差下側のフロア面Ｆｂ上に回動可能に軸連結された状態とされている。
【００２１】
更に、シートクッション３は、その左右両側の後端部が、それぞれ、Ｌ字リンク４により、シートバック２の左右両側の後端部にリンク連結されている。詳しくは、各Ｌ字リンク４は、それぞれ、後ろ下側に折れ曲がったアーム形状とされており、それらの後ろ上側の端部が、シートバック２の側部に一体的に結合され、前下側の端部が、シートクッション３の側部に連結ピン４Ａにより回動可能に軸連結された状態とされている。
【００２２】
上記構成により、シートクッション３は、常時は、上述したシートバック２が通常時に背凭れ角度を固定された状態に保持される構成により、各Ｌ字リンク４を介して吊持されるかたちでその配設位置が固定された状態に保持されている。上記シートクッション３は、シートバック２がその回転中心である連結ピン２Ｄのまわりに前倒しされる動作に伴って、各Ｌ字リンク４により後方下側に引き込まれる形で操作され、各リンク３Ａ，３Ｂを後ろ側に倒し込ませながら下方側へと沈み込む。このシートクッション３の沈み込みにより、シートバック２を前に倒し込める許容スペースが下方側に拡張され、シートバック２が水平位置まで大きく前に倒し込まれるようになっている。
【００２３】
ところで、上述した板部材５は、その段差下側のフロア面Ｆｂ上に固定された各ブラケット６に対するヒンジ連結点（ヒンジ軸５Ａ）の位置が、シートバック２の前倒れの回転中心（連結ピン２Ｄ）よりも後方側で、かつ、前倒しされたシートバック２の背面２Ａよりも低い位置に設定されている（図４参照）。これにより、板部材５は、その後ろ側に倒し込まれた状態時には、上記ヒンジ連結点（ヒンジ軸５Ａ）がシートバック２の背面２Ａから上側に突出しない状態とされている。これにより、上記板部材５のヒンジ連結点（ヒンジ軸５Ａ）の高さ位置や板厚を上記条件の下で適宜調節して設定することにより、前倒ししたシートバック２の背面２Ａ（及び段差上側のフロア面Ｆａ）と板部材５とを出っ張りのないフラットな状態に仕上げられるようになっている。これにより、シートバック２の背面２Ａと、板部材５と、段差上側のフロア面Ｆａと、によって形成される広いフラット面を荷室面として利用することができる。
【００２４】
このように、本実施例の車両用シート１の構成によれば、シートバック２の背部に凹部２Ｃを設定したことにより、シートバック２が厚みのある構成となっていても、板部材５のヒンジ連結点（ヒンジ軸５Ａ）をシートバック２の前倒れの回転中心（連結ピン２Ｄ）よりも後方側で、かつ、前倒ししたシートバック２の背面２Ａよりも低い位置に設定して、シートバック２を前倒ししてもその背面２Ａと板部材５（ヒンジ軸５Ａ）とが干渉しない構成とすることができる。
【００２５】
なお、上述したシートバック２のヒンジ構造と板部材５のヒンジ構造は、互いに独立しており、シートバック２の前倒しと板部材５の後ろ倒しの先後は、どちらが先であっても構わない。また、本実施例では、上述したヒンジ軸５Ａの各ブラケット６に対する嵌め合いが、板部材５を自由状態時に任意の角度位置で回転止めした状態に保持しておくことのできる摺動摩擦抵抗力を作用させられる嵌め合いとされており、板部材５を任意に調節した各角度位置に係止させておくことのできる構成となっている。
【００２６】
なお、上記板部材５に摺動摩擦抵抗力を作用させる構成に代えて、板部材５のヒンジ部に、ターンオーバー式のバネ附勢構造を設定しても良い。具体的には、板部材５を起こし上げることにより、その途中位置から板部材５の附勢方向が起こし上げ方向に切り替わり、板部材５を倒し込むことにより、その途中位置から板部材５の附勢方向が倒し込み方向に切り替わるというものである。このような構成を採ることにより、板部材５を起こし上げた状態時には、板部材５を、常時シートバック２の背面２Ａに沿わせてシートバック２に連動して移動させることができ、シートバック２の背部に沿ったコンパクトな状態として板部材５を収納しておくことができる。また、板部材５を倒し込んだ状態では、板部材５を確実に水平位置まで倒し込んだ位置状態に保持しておくことができる。
【実施例２】
【００２７】
続いて、実施例２の車両用シート１の構成について、図５〜図６を用いて説明する。本実施例の車両用シート１は、図５〜図６に示すように、シートクッション３が段差下側のフロア面Ｆｂ上に固定されて設置されており、シートバック２のみが単独で前倒しされる構成となっている。なお、シートクッション３は、前倒しされるシートバック２と干渉しないように、予め、低い位置に配設された構成とされている。このように、チルトダウン機構を備えない構成においても、シートバック２を水平位置まで前倒しすると共に、板部材５を後ろ側に倒して、フラットな荷室面を形成することができる。
【００２８】
以上、本発明の実施形態を２つの実施例を用いて説明したが、本発明は上記実施例のほか各種の形態で実施することができるものである。例えば、実施例１で示したチルトダウン機構１Ａは、シートバック２が前倒しされる動きに連動して、シートクッション３が後ろ下側に沈み込むように構成されたものを例示したが、シートクッションが前下側に沈み込むように構成したものであってもよい。なお、シートバックの前倒れの回転中心は、シートバックの前倒れに伴って漸次変化していく構成となっていてもよく、前倒れ後のシートバックの背面よりも低い位置に板部材のヒンジ連結点の位置が設定されていればよい。
【符号の説明】
【００２９】
１      車両用シート
１Ａ    チルトダウン機構
２      シートバック
２Ａ    背面
２Ｂ    延出部
２Ｃ    凹部
２Ｄ    連結ピン（シートバックの前倒れの回転中心）
３      シートクッション
３Ａ    リンク
３Ａ１  連結ピン
３Ａ２  連結ピン
３Ｂ    リンク
３Ｂ１  連結ピン
３Ｂ２  連結ピン
４      Ｌ字リンク
４Ａ    連結ピン
５      板部材
５Ａ    ヒンジ軸（ヒンジ連結点）
６      ブラケット
Ｆ      フロア
Ｆａ    段差上側のフロア面
Ｆｂ    段差下側のフロア面
Ａ      隙間
【図１】
2013116661.tif 000003
【図２】
2013116661.tif 000004
【図３】
2013116661.tif 000005
【図４】
2013116661.tif 000006
【図５】
2013116661.tif 000007
【図６】
2013116661.tif 000008